(57)【特許請求の範囲】
【請求項１】
短冊状の1枚の板をひねる事で螺施状の羽根に成り羽根全体で水力を受ける2枚羽根の構造となって、螺施状をした羽根の中央を少し厚くし、両端を少し薄くし、また、最後部の羽根の端部のみを少し内側に曲げ、羽根の角度は円筒本体の中心に対して30°〜50°とし、この全ての羽根の両端に帯状のゴムを取り付けた螺旋状板の羽根と、この羽根の支持は前方部と後方部の軸受部だけからなる回転軸と、螺旋状板の羽根を内部に備えた円筒本体と、この本体の中央部に振れ止め輪を介して複数個の振れ止めローラーと軸受軽減ローラーを設けた振れ止め手段と、この振れ止め手段の下部に設けた砂除去穴と、螺旋状板の羽根の回転動力を外部取り付けの傘歯車により伝達する動力伝達手段と、この動力伝達手段により駆動される発電手段とを備えた小川用小型発電装置。  
【発明の詳細な説明】
【技術分野】
【０００１】
本発明は、河川の流れを利用して水力を効率良く回転運動に変えて得た回転力で発電し、環境に害を与えるCO2を出さない、小型発電装置に関するものである。
【背景技術】
【０００２】
このような小型発電装置に関するものはいくつかあるが、螺旋状のものでは特許文献１、に記載されているように従来のものは円筒状の軸に取り付けた1枚羽根の螺旋状で、羽根のピッチが狭くて水の流れが悪く円筒の中心に対して羽根の角度が大きい為に、羽根に受ける回転力が小さく成り低い回転力で後方の軸受に後ろに押す力だけが大きく成り、又水量は多く必要で水圧も大きく必要であるから回転効率が低いと思われる。
【０００３】
従来の螺旋状の小型発電装置は、特許文献２、に記載されているように従来の物は４枚羽の螺旋状で羽の枚数が多い為に羽を取り付ける円筒状の軸がおおきく成って水力を受ける面が少なく成る、又円筒の中心に対して羽根の角度が小さい為に羽に受ける回転力がちいさく成り、円筒内と羽根とのすき間の対策がないから更に水流水量水圧、が多く必要で螺旋状の羽根の後方の転受だけで螺旋状の羽根に掛る水圧を受けるには、強度不足の可能性が有る。
【０００４】
河川の中に沈めた発電装置に回転力をベルトやチエン等で伝える回転時に、円筒本体から伝達するベルトやチエン等で水を巻き上げて負荷と成り、ベルトやチエン等はいつも水中に浸っているし伸びるから耐久性が悪い。
【先行技術文献】
【特許文献】
【０００５】
【特許文献１】特開２００５−１１３８９３号公報
【特許文献２】実用新案第３１４３１８９号公報
【発明の概要】
【発明が解決しようとする課題】
【０００６】
本発明は前記の従来技術の問題点を解決し、河川を流れる水位の高低差、低流速等の水力を効率良く回転運動に変換する螺旋状板の羽根の小型発電装置の提供にある。
【課題を解決するための手段】
【０００７】
本発明は、上記課題を解決する為には水位の高低差、低流速の水力を効率良く回転力にする為に、短冊状の1枚の板をひねる事で、螺旋状板の羽根に成り羽根全体で水力を受ける2枚羽根の構造となった、図４で示すように螺旋状の板の中央を少し厚くして、両端を少し薄くした螺旋状板の２枚羽根に成って解決した。
【０００８】
本発明は、螺旋状の２枚羽根を円筒本体の中に備えて水を通して回転させる、羽根の上面では水力で押し下げる力と反対側裏下の羽根は水力で押し上げる力が同時に両面で回転力と成り回転効率を上げる形状の羽根として解決した。
【０００９】
本発明は、螺旋状板の羽根を板状の２枚羽根にした事で羽根のピッチを円筒本体の内径の1.3〜2.1倍のピッチとして、図７、で示すように螺旋状板の羽根の角度が円筒本体の中心に対して３０°〜５０°の角度にして螺旋状板の羽根に掛る水力が増し、回転力アップと流水をなるべく妨たげないようにするから、螺旋状板の羽根の段数を増す事で段数に比例して更に回転力を上げる構造とした装置で解決した。
【００１０】
本発明は、螺旋状板の羽根の最後方の軸受けに掛る後方へ増大して押す力を分散する為に、図３、及び図４（１０）で示すように円筒本体の中央にローラーを３ヶ所取り付けて、後方に掛る大きい押す力を分散させて、これにより後方の軸受けの加負を軽減する構造で螺旋状板の羽根と振れ止めの輪を固定して一体化して解決した。
【００１１】
本発明は、螺旋状板の羽根の段数を増す事に、円筒本体、螺旋状板の羽根、共に長く成り円筒内の螺旋状板の羽根が回転力を上げるにつれて上下、左右、にと螺旋状板の羽根が振れて回転力の妨げと成るので振れ防止として、図3、及び図4（９）で示すように振れ防止のローラーを３ヶ所取り付けた、又ローラーは図４（９）で示すように上部中央と正三角形に成るように取り付けて、砂や小石、小さい流れ物がローラーにはさんだりするから破損防止の為に下部の取り付けをさけた、これにより螺旋状板の羽根の回転が円滑に成り回転力の効率を上げる構造として解決した。
【００１２】
本発明は、螺旋状板の羽根の段数が増す事で回転力は増大するが、円筒本体と螺旋状板の羽根が共に長く成り、運搬、設置、組立、修理等の特に取扱いやすいように図３〜図４で、示すように中央で接続ヶ所を設ける事で解決した。
【００１３】
本発明は、図７（１６）で、示すように少ない水量の時に螺旋状板最後部の羽根を少し内側に曲げる事で、円筒内最後部の水が表面張力で外へ流れを増して出ようとする水の流れが速く成る水量を少し妨げて、羽根に掛る回転力を増し更に力強い回転力の出る構造として解決した。
【００１４】
本発明は、図６で、示すように螺旋状板の羽根に取り付けた回転軸の最端に傘歯車を取り付けて円筒本体直角に伝達手段として発電装置に伝えた、又ベルトやチエン等使用しないので水を巻き上げる事や負荷がないので回転力が落ちない、ベルトやチエン等使用しないので降雨時や季節による水量の変化等の環境に絶える事ができて解決した。
【００１５】
本発明は、本体の円筒内と螺旋状板の羽根との間を狭くする為に、図３、及び図４（１４）で、示すように螺旋状板の羽根両端に帯状のゴムを取り付けて、すき間から流れ出る水を少なくして回転力を上げる、又砂や小石、小さい流れ物等が間に入っても円筒内や螺旋状板の羽根を破壊しないし砂除去穴を備えた構造として解決した。
【発明の効果】
【００１６】
上記したように本発明の小型発電装置は螺旋状板の羽根を１枚の短冊状の板をひねる事で羽根に成って羽根のピッチを円筒本体の内径の１．３〜２．１倍として羽根の角度は円筒本体の中心に対して３０°〜５０°の羽根にした事で円筒内に入った水は羽根の上面では水力で羽根を押し下げて又反対側裏下の羽根は水力で押し上げる力が同時に両面で回転力と成って更に回転力を上げた回転効率の良い小型発電装置を提供できる。
【００１７】
この螺旋状板の羽根に帯状のゴムを取り付けたので、比較的少ない水量と水圧が有れば回転力が出て発電装置が可動して効果を発揮する小型発電装置で有り提供できる。
【図面の簡単な説明】
【００１８】
【図１】本発明の実施形態を示す発電装置の正面図である。
【図２】同発電装置の正面の断面図である。
【図３】同発電装置の中央の振れ止めと継手の断面の説明図である。
【図４】同発電装置の図３、におけるＡ−Ａ船断面図である。
【図５】同発電装置の前方部の断面図である。
【図６】同発電装置の後方部の断面図である。
【図７】同発電装置の後方部の参考断面図である。
【発明を実施するための形態】
【００１９】
以下本発明の施形態を図１〜図７に基づいて説明する。
【００２０】
第１図は、本発明の小型発電装置の全体を現す、１は円筒本体で、５は動力伝達の傘歯車、６は発電機、１５は流水カバーである。
【００２１】
第２図は、円筒本体１の全断面図で、２は螺旋状板の羽根で段数を増設できる事を現す、３は軸受、４は回転軸、７は螺旋状板の羽根の継手、８は振れ止めの輪、９は振れ止めローラー、１０は軸受軽減ローラー、１１は螺旋状板の羽根の継手ボルト、１２は砂除去穴を現し、１３は円筒本体継手のボルトを現す。
【００２２】
第３図は、円筒本体中央断面図で、振れ止めの装置と円筒本体の接続の継手、螺旋状板の羽根の継手を現し、１４は帯状のゴムで、Ａ〜Ａの断面の位置を現す。
【００２３】
第４図は、円筒本体中央のＡ〜Ａの位置の断面図で、７は螺旋状板の羽根の継手で、螺旋状板の羽根と振れ止めの輪の固定を現し、９は振れ止めのローラーの位置、１０は軸受軽減ローラーの位置を現す。
【００２４】
第５図は、前方部の入水口と、３は軸受で、４は軸で螺旋状板の羽根と軸の取り付けを現す。
【００２５】
第６図は、後方の排水口と、３は軸受で、４は軸で螺旋状板の羽根と軸の取り付けを現し、５は傘歯車で、６は発電機を現す。
【００２６】
第７図は、参考図で円筒本体の後方部断面図で、螺旋状板の羽根の角度と、１６は螺旋状板の最後尾で羽根の小さい曲りを現す。
【実施例１】
【００２７】
本発明の小川用小型発電装置は、川底へ沈めて使うが短冊状の１枚の板をひねった、螺旋状板の２枚羽根にしたので、水量が少ないとき水中に円筒本体の約半分程度沈めば発電することができる、又螺旋状板の羽根両端に帯状のゴムを取り付け、又螺旋状板、最後の羽根を少し内側に曲げたので、低流速の水力でも発電効率を上げる。
【００２８】
螺旋状板の羽根のピッチを、円筒本体の内径の１．３〜２．１倍にしたのと、羽根の角度を円筒本体の中心に対して３０°〜５０°の角度にしたので、水の流れを妨げないので、螺旋状板の羽根の段数を多く取る事ができ、更に発電効率を上げる。
【実施例２】
【００２９】
円筒本体の中央にローラーを３ヶ所取り付て、螺旋状板の羽根の後方へ掛る大きい押す力を、中央のローラー３ヶ所で分散させ、又螺旋状板の段数を増す事で、螺旋状板の長さが長く成り回転時に、上下へと振れて回転の妨たげと成るので、円筒本体の中央に振れ防止のローラー３ヶ所取り付て、回転を安定させて更に発電効率を上げる。
【産業上の利用可能性】
【００３０】
化石燃料を使わない自然エネルギーで有り、大気汚染がないから産業上大いに期待が持てる、将来の化石燃料の資源不足の為にも必ず役立つし、資源の枯渇防止の面からも産業上大いに期待が持てる、又天候にも左右されなく昼夜ともなく発電ができ産業の活製化と量産ができ経済効果も有り産業の発展にも良い。
【符号の説明】
【００３１】
１    円筒本体
２    螺旋状板の羽根
３    軸受け
４    回転軸
５    傘歯車
６    発電機
７    螺旋状板の羽根の継手
８    振れ止めの輪
９    振れ止めのローラー
１０  軸受軽減ローラー
１１  螺旋状板の羽根の継手ボルト
１２  砂除去穴
１３  円筒本体接続ボルト
１４  帯状のゴム
１５  流水カバー
１６  羽根の小さい曲り
【図１】
0004950241.tif 000002
【図２】
0004950241.tif 000003
【図３】
0004950241.tif 000004
【図４】
0004950241.tif 000005
【図５】
0004950241.tif 000006
【図６】
0004950241.tif 000007
【図７】
0004950241.tif 000008